(57)【要約】  【課題】  少ない桁数の暗証番号でも、容易には推察されることのないパスワード入力装置を提供する。  【解決手段】  暗証番号記憶手段に予め記憶されている登録暗証番号と照合するための暗証番号を入力する数値入力キー２１を備えたパスワード入力装置であって、前記暗証番号の任意の桁の数値またはその数値の組合せを変数とする演算式を記憶する演算式記憶手段３１と、記憶された演算式を表示してその解を入力するように案内表示する案内表示手段３２と、前記演算式及び前記数値入力キー２１を介して入力された数値に基づいて前記暗証番号を演算導出する暗証番号導出手段３３とを備えて構成する。  【選択図】  図４
2006163853.tif 000002
【特許請求の範囲】
【請求項１】
暗証番号記憶手段に予め記憶されている登録暗証番号と照合するための暗証番号を入力する数値入力キーを備えたパスワード入力装置であって、
前記暗証番号の任意の桁の数値またはその数値の組合せを変数とする演算式を記憶する演算式記憶手段と、記憶された演算式を表示してその解を入力するように案内表示する案内表示手段と、前記演算式及び前記数値入力キーを介して入力された数値に基づいて前記暗証番号を演算導出する暗証番号導出手段とを備えて構成されるパスワード入力装置。
【請求項２】
前記演算式記憶手段には、同一の暗証番号が演算導出される複数の演算式が記憶され、前記案内表示手段により表示される演算式がランダムに選択されるように構成されている請求項１記載のパスワード入力装置。
【請求項３】
暗証番号記憶手段に予め記憶されている登録暗証番号と照合するための暗証番号を入力する数値入力キーを備えたパスワード入力装置であって、
前記暗証番号の任意の桁の数値またはその数値の組合せを変数とする演算式を生成する演算式生成手段と、生成された演算式を表示してその解を入力するように案内表示する案内表示手段と、前記演算式及び前記数値入力キーを介して入力された数値に基づいて前記暗証番号を演算導出する暗証番号導出手段とを備えて構成されるパスワード入力装置。
【発明の詳細な説明】
【技術分野】
【０００１】
本発明は、認証を行なうために必要な暗証番号と、暗証番号記憶手段に予め記憶されている登録暗証番号とを照合するパスワード入力装置に関する。
【背景技術】
【０００２】
従来より、複数桁の数字からなる暗証番号（パスワード）を用いて、個人認証に代表される様々な認証システムが展開されている。例えば、金融機関に設置されている現金自動預け払い機で現金の入出金を行う場合や、各種ネットワークへアクセスする場合等その応用例は数多い。このような暗証番号を用いるシステムにおいては、その暗証番号自体の機密性が重要である。しかし、暗証番号入力時において、他者が暗証番号を直接確認することができなくても、暗証番号選択キーを操作する入力者の指や腕の動きから、暗証番号を推察されるという不具合が生じていた。そこで、特許文献１に示すように、暗証番号の入力開始桁を乱数に基づきランダムに決定し、決定された入力開始桁から暗証番号を入力するように構成することで、入力者の指や腕の動きから暗証番号が推察されることを防止するものが提案されている。
【特許文献１】特開２０００−３３０６９９号公報
【発明の開示】
【発明が解決しようとする課題】
【０００３】
しかし、上述した従来技術においては、あくまでも特定の数字を用いて暗証番号を入力するため、入力した数字が特定されると、その数字の組合せで容易に暗証番号も特定されてしまうため、暗証番号の桁数を限りなく増やさなくてはならないという問題があった。
【０００４】
本発明は、上述の従来欠点に鑑み、少ない桁数の暗証番号でも、容易には推察されることのないパスワード入力装置を提供する点にある。
【課題を解決するための手段】
【０００５】
上述の目的を達成するため、本発明によるパスワード入力装置の第一の特徴構成は、特許請求の範囲の書類の請求項１に記載した通り、暗証番号記憶手段に予め記憶されている登録暗証番号と照合するための暗証番号を入力する数値入力キーを備えたパスワード入力装置であって、前記暗証番号の任意の桁の数値またはその数値の組合せを変数とする演算式を記憶する演算式記憶手段と、記憶された演算式を表示してその解を入力するように案内表示する案内表示手段と、前記演算式及び前記数値入力キーを介して入力された数値に基づいて前記暗証番号を演算導出する暗証番号導出手段とを備えて構成される点にある。
【０００６】
上述の構成では、認証時において、暗証番号を直接入力する代わりに、前記暗証番号の所定の桁の数値を演算式に当てはめたときに得られる解を数値入力することとなる。このため、前記暗証番号と前記入力数値とが異なり、入力者の指や腕の動きから前記入力数値が推察されても、前記暗証番号を容易には特定することはできない。つまり、暗証番号の入力時に、十分な機密性を保つことができるのである。よって、少ない桁数の番号でも暗証番号としての機能を果たすことが可能なパスワード入力装置を提供できるのである。
【０００７】
同第二の特徴構成は、同請求項２に記載した通り、上述の第一特徴構成に加えて、前記演算式記憶手段には、同一の暗証番号が演算導出される複数の演算式が記憶され、前記案内表示手段により表示される演算式がランダムに選択されるように構成されている点にある。
【０００８】
上述の構成とすることにより、演算式の推察を行なうことも難しくなるため、入力者の指や腕の動きから入力した数値が推察されても、より一層、暗証番号を容易には特定することはできない。つまり、暗証番号の入力時に、十分な機密性を保つことができるのである。よって、少ない桁数の番号でも暗証番号としての機能を果たすことが可能なパスワード入力装置を提供できるのである。
【０００９】
同第三の特徴構成は、同請求項１に記載した通り、暗証番号記憶手段に予め記憶されている登録暗証番号と照合するための暗証番号を入力する数値入力キーを備えたパスワード入力装置であって、前記暗証番号の任意の桁の数値またはその数値の組合せを変数とする演算式を生成する演算式生成手段と、生成された演算式を表示してその解を入力するように案内表示する案内表示手段と、前記演算式及び前記数値入力キーを介して入力された数値に基づいて前記暗証番号を演算導出する暗証番号導出手段とを備えて構成される点にある。
【００１０】
上述の構成では、認証時において、暗証番号を直接入力する代わりに、前記暗証番号の所定の桁の数値を演算式に当てはめたときに得られる解を数値入力することとなる。このため、前記暗証番号と前記入力数値とが異なり、入力者の指や腕の動きから前記入力数値が推察されても、前記暗証番号を容易には特定することはできない。つまり、暗証番号の入力時に、十分な機密性を保つことができるのである。よって、少ない桁数の番号でも暗証番号としての機能を果たすことが可能なパスワード入力装置を提供できるのである。
【発明の効果】
【００１１】
以上説明した通り、本発明によれば、少ない桁数の暗証番号でも、容易には推察されることのないパスワード入力装置提供することができるようになった。
【発明を実施するための最良の形態】
【００１２】
以下に本発明によるパスワード入力装置３０をデジタル複写機１に適用した場合の実施形態について説明する。前記デジタル複写機１は、図１に示すように、各種の複写モードを設定する複写モード設定キーや設定された複写モードで複写動作を起動するプリントキーなどが配置された操作パネル部２と、原稿載置部３にセットされた一連の原稿を順次読込んで電子データに変換する画像読取部４と、前記画像読取部（「スキャナ」とも記す。）４の下部に設けられ、前記画像読取部４によって電子データに変換された画像データに基づいて用紙上にトナー像を形成して出力する電子写真方式の画像形成部５と、それぞれ異なるサイズまたは種類の用紙が収容された複数の給紙カセット６（６ａ〜６ｄ）及び機械左側部に設けられた手差し給紙口（図示せず）を備えて構成されている。
【００１３】
前記操作パネル部２は、前記画像読取部４の手前側に配置され、図３に示すように、中央部にタッチパネル式のカラー液晶表示部２０を備え、その右側にコピー枚数などを設定する数値入力キー２１、スタートキー２２、クリア／ストップキー２３等の複写動作の基本制御キー群が配置され、カラー液晶表示部２０の左側に原稿から読取った画像を用紙に出力するコピーモード、ネットワークに接続されたコンピュータ等からの出力データを用紙に印字出力するプリンタモード、原稿情報を読込みネットワーク出力するスキャナモードの何れのモードで動作するのかをＬＥＤ表示する状態表示部２４が配置され、前記カラー液晶表示部２０の上部に特殊モード設定キー２５が夫々配置されている。また、前記カラー液晶表示部２０は、画面上部がメッセージ表示領域２０１として、それより下方が設定表示領域２０２として使用される。
【００１４】
また、前記操作パネル部２の回路構成は、図２に示すように、前記操作パネル部２に設けられた各種のキーやカラー液晶表示部２０に対する入出力制御を実行するとともに上述の画像読取部４及び画像形成部５の制御用ＣＰＵに対して設定された複写モードデータ等を送信するＣＰＵ２００と、ＣＰＵ２００による実行プログラムが格納されたＲＯＭ２１０と、ワーキングエリアとして使用される不揮発性のＲＡＭ２２０と、複数種類の入出力回路２３０とが内部バスを介して接続されている。前記入出力回路２３０には、前記カラー液晶表示部２０のドライバ回路２０ａに表示データを供給する表示バッファ２３１、前記カラー液晶表示部２０の表面に形成された透明電極シートスイッチに対する入力回路２３２、各種のキー入力を受け付けるキーマトリクス入力回路２３３、前記画像読取部４と接続するスキャナインターフェース回路２３４、外部のパーソナルコンピュータを接続するインターフェース回路２３５、メディアドライバ２３６、ハードディスクユニット２３８と接続するインターフェース回路２３７等を備えて構成されている。
【００１５】
前記パスワード入力装置３０は、前記操作パネル部２の制御部として構成されるもので、前記数値入力キー２１からの入力操作により暗証番号を入力し、暗証番号が認証されたときに、前記デジタル複写機１の操作を可能とするものである。
【００１６】
前記パスワード入力装置３０の機能ブロック構成は、図４に示すように、暗証番号を入力する前記数値入力キー２１と、前記カラー液晶表示部２０と、前記暗証番号の任意の桁の数値またはその数値の組合せを変数とする演算式を格納する演算式記憶手段３１と、前記液晶表示部２０に前記演算式を表示してその解を入力するように案内表示する案内表示手段３２と、前記演算式及び前記数値入力キー２１を介して入力された数値に基づいて前記暗証番号を演算導出する暗証番号導出手段３３と、暗証番号情報が格納されている暗証番号記憶手段３４と、暗証番号導出手段３３によって導出された暗証番号と前記暗証番号情報とを比較し認証の許否を判定する認証判定手段３５とを備えて構成されている。
【００１７】
前記演算式記憶手段３１は、所定数の演算式からなる演算式群が複数構成されるように前記演算式を格納している。前記夫々の演算式群、つまり所定数からなる演算式は、当該所定数の演算式の全てにおいて、その解を数値入力されることで、前記所定数の演算式が有する変数の全て値が特定可能な一群として構成さている。また、前記所定数の演算式が備える変数は、前記暗証番号の各桁の数値を全て特定可能な数だけ備えている。
【００１８】
例えば、暗証番号が４桁の数字で構成されている場合、前記暗証番号を特定するための演算式を生成するには、前記暗証番号の１桁ずつに対応する変数としてＡ、Ｂ、Ｃ、Ｄ（Ａ、Ｂ、Ｃ、Ｄは夫々正の整数）等といった４個の変数が必要となる。前記Ａ、Ｂ、Ｃ、Ｄの値を特定するためには、例えば、Ａ＋Ａ、Ａ＋Ｂ、Ａ＋Ｃ、Ａ＋Ｄ、といった４つの演算式を生成し、夫々の演算式に対する解を与えられることにより、前記暗証番号を特定することが可能となる。つまり、暗証番号「ＡＢＣＤ」が具体的には「１２３４」であった場合、Ａ＋Ａ＝２、Ａ＋Ｂ＝３、Ａ＋Ｃ＝４、Ａ＋Ｄ＝５と解が与えられることにより、Ａ＝１、Ｂ＝２、Ｃ＝３、Ｄ＝４のように逆算して暗証番号を特定できる演算式からなる演算式群が複数構成されているのである。
【００１９】
前記パスワード入力装置３０の動作について図５のフローチャートと図６に示す前記設定表示領域２０２に表示される画面に基づいて説明する。前記デジタル複写機１に電源が投入されると（ＳＡ１）、機能ブロック毎に初期設定が行なわれた後（ＳＡ２）、前記案内表示手段３２によって、前記設定表示領域２０２には、パスワード入力画面が表示される（ＳＡ３）。
【００２０】
前記パスワード入力画面には、図６（ａ）に示すように、演算式と、当該演算式に基づいて算出した数値を入力する数値入力枠５１と、数値入力可能な数値入力枠を示すカーソル５２が点滅表示されている。
【００２１】
前記演算式は、前記演算式記憶手段３１に格納されていたもので、前記案内表示手段３２によって、前記複数の演算式群の中からランダムに任意の演算式群が抽出され、更に前記任意の演算式群の中からランダムに抽出された演算式が表示されている。
【００２２】
前記パスワード入力画面では、前記演算式に基づいて、予め登録されている暗証番号の数値を用いて算出した数値を入力する（ＳＡ４）。前記数値入力が完了すると、前記任意の演算式群を構成する演算式のうち未表示の演算式の中から再びランダムに演算式が選択表示され、前記演算式に基づいて数値入力する（ＳＡ５、ＳＡ６）。前記任意の演算式群を構成する演算式において、未表示の演算式がなくなるまで、前述と同様な演算式表示、前記演算式に基づいた数値入力を繰り返す（ＳＡ７）。
【００２３】
詳述すると、例えば、前記予め登録されている暗証番号が４桁で「１２３４」であった場合、図６（ａ）のように、演算式が「１桁目と４桁目の和を入力してください。」と表示された場合には、１桁目の数値「１」と４桁目の数値「４」との和「５」を前記演算式の解として数値入力する。ここで、前記数値入力枠５１は、演算式から算出された数値を２桁まで入力可能なように、１桁目数値入力枠５１ａと２桁目数値入力枠５１ｂとが表示されている。つまり、前記数値入力枠５１に前記解の「５」について、１桁目数値入力枠５１ａに「０」、２桁目数値入力枠５１ｂに「５」として数値入力する。
【００２４】
前記解の数値入力は、前記カーソルが点滅している側の数値入力枠に前記数値入力キー２１によって数値を入力することにより可能な構成となっている。図６（ａ）のように、前記パスワード入力画面の初期画面では、数値入力が可能なことを示す前記カーソルが、１桁目数値入力枠５１ａ側に点滅表示されている。前記数値入力キー２１により、前記解の１桁目を前記１桁目数値入力枠５１ａに数値入力すると、例えば「０」を入力すると、図６（ｂ）のように、１桁目数値入力枠５１ａには「＊」が表示され、数値入力がなされたことを示すとともに、入力された数値が他人から確認されないように表示される。また、前記カーソルは前記２桁目数値入力枠５１ｂ側に移動し点滅することにより、前記２桁目数値入力枠５１ｂに数値入力が可能となっていることを示す。前記２桁目数値入力枠５１ｂに数値入力すると、例えば「５」を入力すると、図６（ｃ）のように、２桁目数値入力枠５１ｂにも「＊」が表示され、数値入力がなされたことを示すとともに、入力された数値が他人から確認されないように表示される。また、前記カーソルはクリアされ、数値入力ができない状態であることを示す。
【００２５】
次に所定時間経過後、図６（ｄ）に示すように、「１桁目と２桁目の和を入力してください。」といった新たな演算式（前記演算式「１桁目と４桁目の和を入力してください。」と同一の演算式群に構成されていて未表示の演算式）と数値入力がなされていない前記１桁目数値入力枠５１ａと前記２桁目数値入力枠５２ｂと点滅状態の前記カーソルが表示される。前述と同様な数値入力と、前記新たな演算式の表示を繰り返し、未表示の演算式がなくなるまで数値入力が行なわれる。
【００２６】
前記任意の演算式群を構成する演算式に対して、全ての数値入力が完了すると、前記暗証番号導出手段３３は、前記演算式と入力された数値から暗証番号を前述したように演算導出する（ＳＡ８）。
【００２７】
前記認証判定手段３５は、前記演算導出された暗証番号と、前記暗証番号記憶手段３４に格納されている暗証番号情報とを比較し、一致すれば、前記設定表示領域２０２に、例えば、図６（ｅ）のように、種々の機能を入力操作可能な機能設定画面を表示するとともに、前記デジタル複写機１の操作の許可を発する（ＳＡ９、ＳＡ１０）。また、一致しない場合、或いは、数値入力ミス等により、演算導出が行なえなかった場合には、例えば、図６（ｆ）のように、「暗証番号が間違っています。」等といった、一致しない旨のガイド表示を前記案内表示手段３２に表示させた後（ＳＡ９、ＳＡ１１）、初期のパスワード入力画面に戻る。
【００２８】
尚、前記数値入力の途中で、前記クリア／ストップキー２３の選択により前記数値入力を中断し、前記パスワード入力画面の初期画面に戻ることが可能な構成としてもよい。
【００２９】
以下に別の実施形態について説明する。上述した実施形態では、パスワード入力装置３０に暗証番号の任意の桁の数値またはその数値の組合せを変数とする演算式を格納する演算式記憶手段３１を備えていたが、これに換えて暗証番号の任意の桁の数値またはその数値の組合せを変数とする演算式を生成する演算式生成手段を備える構成としてもよい。
【００３０】
前記演算式生成手段は、複数の変数からなる演算式の解として数値を入力することで、確実にその変数の値が特定可能となるように、複数の演算式を予め生成するものである。前述した４桁の暗証番号における変数Ａ、Ｂ、Ｃ、Ｄ（Ａ、Ｂ、Ｃ、Ｄは夫々正の整数）の場合では、例えば、Ａ＋Ａ、Ａ＋Ｂ、Ａ＋Ｃ、Ａ＋Ｄといった演算式を予め生成する。また、前記生成される演算式は暗証番号が認証される都度異なる演算式が生成される構成となっている。
【００３１】
つまり、前記演算式記憶手段３１に格納されている演算式に換えて、前記演算式生成手段によって生成される演算式を用いて暗証番号の認証を行なう構成としてもよい。
【００３２】
上述した実施形態では、演算式に和演算のみを用いた場合について説明したが、差演算や、乗演算、或いはこれらの組合せを用いてもよい。除演算についても用いることは可能であるが、その解に端数或いは小数点以下といった数値が生じるため好ましくはない。また、数値入力枠は２桁分の数値入力に限定するものではなく、適宜演算式に対応して増減させればよい。
【００３３】
上述した実施形態では、数値入力時に前記数値入力枠５１には「＊」を表示させた場合について説明したが、これに限定されるものではなく、適宜他の記号を用いてもよく、また、他人から入力数値が視認できない公知の技術を適用することも可能である。
【００３４】
上述した実施形態では４桁の暗証番号の例について説明したがこれに限定されるものではない。適宜演算式を生成することにより、あらゆる桁の暗証番号に適用可能である。
【００３５】
上述した実施形態での各種キーの配列、名称、形状等は一例に過ぎず、これに限定されるものではなく、適宜変更が可能なものである。
【００３６】
上述した実施形態では、パスワード表示装置をデジタル複写機に適用した例について説明したが、スキャナ装置を備えたファクシミリ装置、プリンタやファクシミリ機能が搭載された複合機などの画像処理装置にも適用可能であることは言うまでも無い。また、金融機関に設置されている現金自動預け払い機や、各種ネットワークへアクセスする場合など、認証システムが必要な種々の用途において、本発明のパスワード入力装置を適用することも可能である。
【図面の簡単な説明】
【００３７】
【図１】デジタル複写機の説明図
【図２】操作パネル部の回路構成の説明図
【図３】操作パネル部の説明図
【図４】パスワード入力装置の説明図
【図５】パスワード入力装置の動作を説明するフローチャート
【図６】設定表示領域に表示される画面の例
【符号の説明】
【００３８】
１：デジタル複写機
２：操作パネル部
２０：カラー液晶表示部
２１：数値入力キー
３０：パスワード入力装置
３１：演算式記憶手段
３２：案内表示手段
３３：暗証番号導出手段
３４： 暗証番号記憶手段
３５：認証判定手段
５１：入力数値表示枠
５２：カーソル
２０２：設定表示領域
【図１】
2006163853.tif 000003
【図２】
2006163853.tif 000004
【図４】
2006163853.tif 000005
【図５】
2006163853.tif 000006
【図３】
2006163853.tif 000007
【図６】
2006163853.tif 000008